(57)【要約】患者における気道流量制限値を決定するシステムが提供される。システムは、コンピュータプログラム命令によりプログラムされた１つ以上の物理プロセッサを有するコンピュータシステムを有する。コンピュータプログラム命令は、実行される場合に、コンピュータシステムに、１つ以上の健康監視デバイスから患者の気道内圧情報及び患者の気道流量情報を取得させ、患者の気道内圧情報及び患者の気道流量情報から気道流量制限指標を決定させ、その決定された気道流量制限指標を気道流量制限閾値と比較することによって患者に対して気道流量制限値を決定させる。気道流量制限値は、所与の期間において流量制限される患者の呼吸の数を示す。
2019520871.tif 000002
【特許請求の範囲】
【請求項１】
患者における気道流量制限値を決定するシステムであって、
コンピュータプログラム命令によりプログラムされた１つ以上の物理プロセッサを有するコンピュータシステムを有し、
前記コンピュータプログラム命令は、実行される場合に、前記コンピュータシステムに、
１つ以上の健康監視デバイスから前記患者の気道内圧情報及び前記患者の気道流量情報を取得させ、
前記患者の前記気道内圧情報及び前記患者の前記気道流量情報から気道流量制限指標を決定させ、
前記決定された気道流量制限指標を気道流量制限閾値と比較することによって前記患者に対して前記気道流量制限値を決定させ、
前記気道流量制限値は、所与の期間において流量制限される前記患者の呼吸の数を示す、システム。
【請求項２】
前記１つ以上の健康監視デバイスの夫々は、
前記患者の前記気道内圧情報及び前記患者の前記気道流量情報を取得するようプログラムされた１つ以上のセンサと、
実行される場合に、当該健康監視デバイスに、
前記センサに基づき、前記患者の前記気道内圧情報及び前記患者の前記気道流量情報を取得させ、
前記患者の前記取得された気道内圧情報及び前記患者の前記取得された気道流量情報を前記コンピュータシステムに供給させる
コンピュータプログラム命令によりプログラムされた１つ以上の物理プロセッサと
を有し、
前記コンピュータシステムは、前記患者の前記気道内圧情報及び前記患者の前記気道流量情報を取得することによって、前記患者に対して前記気道流量制限指標を決定する、
請求項１に記載のシステム。
【請求項３】
前記コンピュータシステムは、
複数の患者からの以前に取得された気道内圧情報及び気道流量情報を用いて前記気道流量制限閾値を決定することと、
前記複数の患者のその後の気道内圧情報及び気道流量情報を引き続き取得することと、
前記その後の気道内圧情報及び気道流量情報に基づき前記気道流量制限閾値を引き続き変更することと
によって、前記患者に対して前記気道流量制限値を決定する、
請求項１に記載のシステム。
【請求項４】
前記コンピュータシステムは、前記決定された気道流量制限値を表示するよう構成される、
請求項１に記載のシステム。
【請求項５】
前記コンピュータシステムは、前記決定された気道流量制限値に基づき、前記患者の気道に適用される加圧治療の圧力を調整するよう構成される、
請求項１に記載のシステム。
【請求項６】
患者における気道流量制限値を決定する方法であって、実行される場合に当該方法を実行するコンピュータプログラム命令を実行する１つ以上の物理プロセッサを有するコンピュータシステムによって実行される前記方法において、
１つ以上の健康監視デバイスから前記患者の気道内圧情報及び前記患者の気道流量情報を取得することと、
前記コンピュータシステムによって、前記患者の前記気道内圧情報及び前記患者の前記気道流量情報から気道流量制限指標を決定することと、
前記コンピュータシステムによって、前記決定された気道流量制限指標を気道流量制限閾値と比較することによって前記患者に対して前記気道流量制限値を決定することと
を有し、
前記気道流量制限値は、所与の期間において流量制限される前記患者の呼吸の数を示す、方法。
【請求項７】
前記患者に対する前記気道流量制限指標は、
前記コンピュータシステムによって、１つ以上のセンサを有する前記１つ以上の健康監視デバイスから、前記患者の前記気道内圧情報及び前記患者の前記気道流量情報を取得することと、
前記コンピュータシステムによって、前記患者の前記取得された気道内圧情報及び前記患者の前記取得された気道流量情報を使用することによって前記患者に対して前記気道流量制限指標を決定することと
によって決定される、
請求項６に記載の方法。
【請求項８】
前記患者に対する前記気道流量制限値は、
前記コンピュータシステムによって、複数の患者からの以前に取得された気道内圧情報及び気道流量情報を用いて前記気道流量制限閾値を決定することと、
前記コンピュータシステムによって、前記複数の患者のその後の気道内圧情報及び気道流量情報を引き続き取得することと、
前記コンピュータシステムによって、前記その後の気道内圧情報及び気道流量情報に基づき前記気道流量制限閾値を引き続き変更することと
によって決定される、
請求項６に記載の方法。
【請求項９】
前記コンピュータシステムによって、前記決定された気道流量制限値を表示すること
を更に有する請求項６に記載の方法。
【請求項１０】
前記コンピュータシステムによって、前記決定された気道流量制限値に基づき、前記患者の気道に適用される加圧治療の圧力を調整すること
を更に有する請求項６に記載の方法。
【請求項１１】
患者における気道流量制限値を決定するシステムであって、
少なくとも１つのプロセッサにより機械読み出し可能な命令を実行する手段を有し、
前記機械読み出し可能な命令は、
１つ以上の健康監視デバイスから前記患者の気道内圧情報及び前記患者の気道流量情報を取得することと、
前記患者の前記気道内圧情報及び前記患者の前記気道流量情報から気道流量制限指標を決定することと、
前記決定された気道流量制限指標を気道流量制限閾値と比較することによって前記患者に対して前記気道流量制限値を決定することと
を有し、
前記気道流量制限値は、所与の期間において流量制限される前記患者の呼吸の数を示す、システム。
【請求項１２】
前記機械読み出し可能な命令は、
１つ以上のセンサを有する前記１つ以上の健康監視デバイスから、前記患者の前記気道内圧情報及び前記患者の前記気道流量情報を取得することと、
前記患者の前記気道内圧情報及び前記患者の前記気道流量情報を取得することによって前記患者に対して前記気道流量制限指標を決定することと
を更に有する、
請求項１１に記載のシステム。
【請求項１３】
前記機械読み出し可能な命令は、
複数の患者からの以前に取得された気道内圧情報及び気道流量情報を用いて前記気道流量制限閾値を決定することと、
前記複数の患者のその後の気道内圧情報及び気道流量情報を引き続き取得することと、
前記その後の気道内圧情報及び気道流量情報に基づき前記気道流量制限閾値を引き続き変更することと
を更に有する、
請求項１１に記載のシステム。
【請求項１４】
前記機械読み出し可能な命令は、前記手段によって前記決定された気道流量制限値を表示することを更に有する、
請求項１１に記載のシステム。
【請求項１５】
前記機械読み出し可能な命令は、前記手段によって、前記決定された気道流量制限値に基づき、前記患者の気道に適用される加圧治療の圧力を調整することを更に有する、
請求項１１に記載のシステム。
【発明の詳細な説明】
【技術分野】
【０００１】
本開示は、患者の治療を容易にする方法及び装置に関係があり、より具体的には、患者に対して気道流量制限値を決定すること及び／又は患者の治療を容易にするヘルスデバイスをそれに基づき制御することに関係がある。
【背景技術】
【０００２】
気道流量制限は、人の気道が実質破壊（parenchymal  destruction）に起因したそれらの弾性収縮力の喪失又は何らかの他の形の気道閉塞により部分的に弱る生理的状態である。
【０００３】
現在、臨床医は、特定の気道内圧療法が、患者に対してセットアップするのが困難でも侵襲的でもない患者の気道流量制限の治療において、有効であるかどうかを定量化可能に評価する能力を制限されている。その後に、患者の気道流量制限を治療するための適切な及び／又は最適な気道内圧療法及び指示のために臨床医を導くための現行の指標（indices）が存在しない。従って、患者の肺の状態を実時間において臨床医に知らせるための改善されたシステムが望まれる。
【発明の概要】
【０００４】
然るに、本特許出願の１つ以上の実施形態の目的は、患者における気道流量制限値を決定するシステムを提供することである。システムは、コンピュータプログラム命令によりプログラムされた１つ以上の物理プロセッサを有するコンピュータシステムを有し、コンピュータプログラム命令は、実行される場合に、コンピュータシステムに、１つ以上の健康監視デバイスから患者の気道内圧情報及び患者の気道流量情報を取得させ、患者の気道内圧情報及び患者の気道流量情報から気道流量制限指標を決定させ、その決定された気道流量制限指標を気道流量制限閾値と比較することによって患者に対して気道流量制限値を決定させる。気道流量制限値は、所与の期間において流量制限される患者の呼吸の数を示す。
【０００５】
患者における気道流量制限値を決定する方法を提供することは、本特許出願の１つ以上の実施形態の更なる他の態様である。方法は、実行される場合に当該方法を実行するコンピュータプログラム命令を実行する１つ以上の物理プロセッサを有するコンピュータシステムによって実装される。方法は、１つ以上の健康監視デバイスから患者の気道内圧情報及び患者の気道流量情報を取得することと、コンピュータシステムによって患者の前記気道内圧情報及び患者の前記気道流量情報から気道流量制限指標を決定することと、コンピュータシステムによって、その決定された気道流量制限指標を気道流量制限閾値と比較することによって患者に対して気道流量制限値を決定することとを有する。気道流量制限値は、所与の期間において流量制限される患者の呼吸の数を示す。
【０００６】
患者における気道流量制限値を決定するシステムを提供することは、１つ以上の実施形態の更なる他の態様である。システムは、少なくとも１つのプロセッサにより機械読み出し可能な命令を実行する手段を有する。機械読み出し可能な命令は、１つ以上の健康監視デバイスから患者の気道内圧情報及び患者の気道流量情報を取得することと、患者の気道内圧情報及び患者の気道流量情報から気道流量制限指標を決定することと、その決定された気道流量制限指標を気道流量制限閾値と比較することによって患者に対して気道流量制限値を決定することとを有する。気道流量制限値は、所与の期間において流量制限される患者の呼吸の数を示す。
【０００７】
本特許出願のそれら及び他の目的、機能、及び特徴に加えて、構造の関連する要素の動作の方法及び機能、並びに製造の部分及び経済の組み合わせは、添付の図面を参照して以下の記載及び添付の特許請求の範囲を検討した上でより明らかになるだろう。また、以下の記載、特許請求の範囲及び図面の全ては、本明細書の部分を形成し、同じ参照符号は、様々な図において、対応する部分を示す。なお、図面は、実例及び記載のみを目的とし、本特許出願の制限の定義として意図されない点が明白に理解されるべきである。
【図面の簡単な説明】
【０００８】
【図１】本特許出願の実施形態に従って、患者における気道流量制限値を決定するための例となるシステムである。
【図２】本特許出願の実施形態に従って、患者に対する気道流量制限指標、気道流量制限閾値、及び気道流量制限値のグラフ表示である。
【図３】本特許出願の実施形態に従って、患者に対する決定された気道流量制限値の例となる数値表現である。
【図４】本特許出願の実施形態に従って、患者に対する決定された気道流量制限値の例となるグラフ表現である。
【図５】本特許出願の実施形態に従って、気道流量制限閾値を決定する際に使用され得る指標の例となる表現である。
【図６】本特許出願の実施形態に従って、患者における気道流量制限値を決定するフローチャートである。
【図７Ａ】本特許出願の実施形態に従って、患者における気道流量制限値を決定する他のフローチャートを示す。
【図７Ｂ】本特許出願の実施形態に従って、患者における気道流量制限値を決定する他のフローチャートを示す。
【発明を実施するための形態】
【０００９】
本明細書で使用されるように、“１つの（a又はan）”及び“前記（the）”の単数形は、文脈が別なふうに明りょうに定めない限りは、複数参照を含む。本明細書で使用されるように、２つ以上の部分又は構成要素が“結合される（coupled）”という記述は、それらの部分が直接に又は間接に、すなわち、リンクが発生する限りは、１つ以上の中間部分若しくは構成要素を通じて、一緒に動作するか又は結合されることを意味すべきである。本明細書で使用されるように、“直接結合される”は、２つの要素がお互いと直接接触していることを意味する。本明細書で使用されるように、“固定的に（fixedly）結合される”又は“固定される（fixed）”は、２つの構成要素が、お互いに対して一定の向きを保ちながら、一体となって動くように結合されることを意味する。本明細書で使用されるように、語“又は（or）”は、文脈が別なふうに明りょうに定めない限りは、“及び／又は（and/or）”を意味する。
【００１０】
本明細書で使用されるように、語“単位の（unitary）”は、構成要素が単一の片又はユニットとして作られることを意味する。すなわち、別々に作られて一体として連結されている片を含む構成要素は、“単位”構成要素又は本体ではない。本明細書で用いられるように、２つ以上の部分又は構成要素がお互いを“係合する（engage）”という記述は、それらの部分が直接に又は１つ以上の中間部分若しくは構成要素を通じてお互いに対して力を及ぼすことを意味すべきである。本明細書で用いられるように、語“数（number）”は、１又は１よりも大きい整数（すなわち、複数）を意味すべきである。
【００１１】
例えば、制限なしに、上（top）、下（bottom）、左（left）、右（right）、上方（upper）、下方（lower）、前（front）、後ろ（back）、及びそれらの派生語のような、本明細書で使用される、方向を表す語句は、図面に示されている要素の向きに関係があり、特許請求の範囲において明らかに示されない限りは、特許請求の範囲を制限しない。
【００１２】
本特許出願は、患者における気道流量制限値を決定するシステム１００を提供する。以下の議論から明らかなように、一実施形態において、システム１００は、コンピュータプログラム命令によりプログラムされた１つ以上の物理プロセッサを備えるコンピュータシステム１０２を含む。コンピュータプログラム命令は、コンピュータシステム１０２に、１つ以上の健康監視デバイス１０６（例えば、１０６ａ，・・・，１０６ｎ）から患者の気道内圧情報及び患者の気道流量情報を取得させ、患者の気道内圧情報及び患者の気道流量情報から気道流量制限指標を決定させ、その決定された気道流量制限指標を気道流量制限閾値と比較することによって患者に対して気道流量制限値を決定させる。気道流量制限値は、所与の期間において流量制限される患者の呼吸の数を示す。
【００１３】
一実施形態において、システム１００は、気道流量制限値を決定し表示することによって、患者に与えられる圧力療法／治療の有効性を示すよう構成される。いくつかの実施形態において、気道流量制限値は、気道流量制限を有している患者の呼吸の数又はパーセンテージである。例えば、流量制限された呼吸の数又はパーセンテージが大きければ大きいほど、圧力療法／治療の無効性はますます大きくなる。流量制限された呼吸の割合が０％であるか又は０％に近い場合に、圧力療法／治療は最適に有効である。一方、流量制限された呼吸の割合が１００％により近い場合に、圧力療法／治療は効果がないか又は効果が少ない。（例えば、呼気）流量制限を有する呼吸の数は、人の呼吸周期の（例えば、呼気フェーズの間の）陽圧の適用によって減らされ得ることが実証されており且つ広く受け入れられてきた。システム１００はまた、決定された気道流量制限値に基づき、患者に与えられる圧力療法／治療の有効性（例えば、圧力）を制御又は調整するよう構成される。一実施形態において、呼気陽圧（positive  expiratory  pressure）（ＰＥＰ）は、その場合に、流量制限された呼吸の割合がその最下点（nadir）になるまで増大され得る。
【００１４】
図１は、１つ以上の実施形態に従って、患者における気道流量制限値を決定するシステム１００を示す。図１に示されるように、システム１００は、サーバ１０２（又は複数のサーバ１０２）を有してよい。サーバ１０２は、気道流量制限値サブシステム１１２、健康情報サブシステム１１４、通知サブシステム１１６、圧力制御サブシステム１２６又は他の構成要素若しくはサブシステムを有してよい。
【００１５】
一実施形態において、患者は、遠隔治療（telemedicine）、遠隔医療（telehealth）又は遠隔介護（telecare）サービスを受けている。一実施形態において、遠隔医療サービスは、患者サイトにいる患者と、患者から遠く離れている提供者サイトにいる提供者との間の受診又は相互作用を容易にするよう構成される。
【００１６】
システム１００は、ユーザデバイス１０４（又は複数のユーザデバイス１０４ａ〜１０４ｎ）を含んでよい。ユーザデバイス１０４は、あらゆるタイプのモバイル端末、固定端末、又は他のデバイスも有してよい。例として、ユーザデバイス１０４は、デスクトップコンピュータ、ノートブックコンピュータ、タブレットコンピュータ、スマートフォン、ウェアラブルデバイス、又は他のユーザデバイスを有してよい。患者は、例えば、サーバ１０２又はシステム１００の他の構成要素と相互作用するために１つ以上のユーザデバイス１０４を利用してよい。留意されるべきは、１つ以上の動作が、サーバ１０２の構成要素によって実行されるものとして本明細書で記載されているが、それらの動作は、いくつかの実施形態では、ユーザデバイス１０４の構成要素又はシステム１００の他の構成要素によって実行されてよい点である。いくつかの実施形態において、ユーザデバイス１０４は任意である。
【００１７】
いくつかの実施形態において、健康情報サブシステム１１４は、患者に関連した健康情報を取得し得る。取得時に、健康情報は記憶され得る（例えば、まだ記憶されていない場合に、健康情報データベース１３４又は他のストレージ）。いくつかの実施形態において、健康情報は、気道流量情報、気道内圧情報、気道容量情報、又は何らかの他の気道に関連した情報を含んでよい。
【００１８】
他の例として、健康情報は、１つ以上の健康監視デバイス（例えば、気道流量監視デバイス、気道内圧監視デバイス、気道容量監視デバイス、又は他の健康監視デバイス）から取得されてよい。それらの健康監視デバイスは、圧力センサ、圧力トランスデューサ、流率センサ、容量センサ、又は他のセンサのような、１つ以上のセンサを含んでよい。センサは、例えば、患者の健康情報（例えば、気道内圧、気道流量、気道容量、若しくは何らかの他の気道パラメータ）又は患者に関連した他の健康情報を取得するよう構成されてよい。
【００１９】
１つのシナリオにおいて、健康監視デバイスは、健康情報（例えば、１つ以上のセンサからの情報に基づく。）を取得し、健康情報を処理のためにネットワーク（例えば、ネットワーク１５０）を介してコンピュータシステム（例えば、サーバ１０２を有する。）へ供給してよい。他のシナリオにおいて、健康情報を取得すると、健康監視デバイスは、取得された健康情報を処理し、処理された健康情報を、ネットワーク（例えば、ネットワーク１５０）を介してコンピュータシステムへ供給してよい。更なる他のシナリオにおいて、健康監視デバイスは、（例えば、取得又は処理された）健康情報をコンピュータシステム（例えば、サーバ１０２を有する。）へ自動的に供給してよい。例えば、健康監視デバイスがオフラインである（例えば、インターネットへ接続されない、コンピュータシステムへ接続されていない、など）場合に、健康監視デバイスは健康情報を記憶し、健康監視デバイスがオンラインになる場合に（例えば、オンライン状態がユーザデバイスのアプリケーションによって検出される場合に）健康情報をコンピュータシステムへ供給してよい。
【００２０】
いくつかの実施形態において、健康情報サブシステム１１４は、複数の患者に関連したその後の健康情報を引き続き取得してよい。一例として、その後の健康情報は、その後の時点（患者に対して気道流量制限値を決定するために使用された健康情報に対応する時間の後の時点）に対応する追加の健康情報を有してよい。一例として、その後の健康情報は、１つ以上の健康監視デバイスから取得されてよい。その後の健康情報は、気道流量制限閾値などを更に更新又は変更するために利用されてよい（例えば、新しい健康情報は、気道流量制限閾値を動的に更新又は変更するために使用されてよい。）。
【００２１】
いくつかの実施形態において、気道流量制限サブシステム１１２は、患者に対して気道流量制限値を決定する。いくつかの実施形態において、気道流量制限値は、所与の期間において流量制限される患者の呼吸の数又はパーセンテージを示す。
【００２２】
いくつかの実施形態において、気道流量制限値は、呼気気道流量制限値である。一例として、システム１００は、呼気の間の気道流量を制限された呼吸を示す患者の呼吸の数又はパーセンテージを供給するよう構成される。いくつかの実施形態において、気道流量制限値は、吸気気道流量制限値である。一例として、システム１００は、吸気の間の気道流量を制限された呼吸を示す患者の呼吸の数又はパーセンテージを供給するよう構成される。
【００２３】
いくつかの実施形態において、システム１００は、正常な呼吸（breathing）／呼吸（respiration）パターンが検出されるかどうか、及び安定したマスクインターフェイスが検出されるかどうかを判定するよう構成される。いくつかの実施形態において、気道流量制限サブシステム１１２は、患者の正常な呼吸（breathing）／呼吸（respiration）パターンが検出され且つ患者における安定したマスクインターフェイスが検出される場合に、患者に対して気道流量制限値を決定する。いくつかの実施形態において、システム１００は、患者の呼吸（breathing）／呼吸（respiration）パターンを検知するセンサを含んでよい。システム１００は、センサからの呼吸（breathing）／呼吸（respiration）パターンを所定の呼吸（breathing）／呼吸（respiration）パターンと比較して、検知された呼吸（breathing）／呼吸（respiration）パターンが正常であるかどうかを判定するよう構成されてもよい。いくつかの実施形態において、システム１００は、安定したマスクインターフェイスが患者に対して設けられているかどうかを検知するセンサを含んでよい。
【００２４】
いくつかの実施形態において、気道流量制限サブシステム１１２は、１つ以上の健康監視デバイス１０６ａ・・・１０６ｎから、患者の気道内圧情報、患者の気道流量情報、患者の呼吸若しくは気道容量情報、又は患者に関連した他の情報を取得するよう構成される。いくつかの実施形態において、患者の気道流量情報は、患者の気道確保時の流量に関する情報（例えば、吸気若しくは呼気の間の気道確保時の気流に対する抵抗を特定する情報、吸気若しくは呼気の間の気道確保時の流率を特定する情報、又は他の情報）を含んでよい。いくつかの実施形態において、患者の気道内圧情報は、患者の気道確保時の圧力に関する情報（例えば、吸気若しくは呼気の間の気道確保時の気道内圧を特定する情報、又は他の情報）を含んでよい。いくつかの実施形態において、患者の気道内圧情報は、食道内圧に関する情報（例えば、吸気若しくは呼気の間の食道内の気道内圧を特定する情報、又は他の情報）を含んでよい。
【００２５】
いくつかの実施形態において、１つ以上の健康監視デバイス１０６ａ・・・１０６ｎは、気道内圧監視デバイス、気道容量監視デバイス、気道流量監視デバイス、又は他の気道監視デバイスを有してよい。いくつかの実施形態において、１つ以上の健康監視デバイス１０６ａ・・・１０６ｎは、呼吸又は気道容量を監視するよう構成されてよい。いくつかの実施形態において、１つ以上の健康監視デバイス１０６は、気道確保時の流量を監視するよう構成されてよい。いくつかの実施形態において、１つ以上の健康監視デバイス１０６ａ・・・１０６ｎは、気道確保時の圧力を監視するよう構成されてよい。いくつかの実施形態において、１つ以上の健康監視デバイス１０６ａ・・・１０６ｎは、食道内圧を監視するよう構成されてよい。
【００２６】
いくつかの実施形態において、気道流量制限サブシステム１１２は、患者の取得された気道内圧情報、患者の取得された気道流量情報、又は他の気道若しくは気道流量に関連した情報から気道流量制限指標を決定するよう構成される。すなわち、気道流量制限サブシステム１１２は、デバイスの流量及び圧力センサからの情報／データを解析し、センサデータ／情報に基づき気道流量制限指標を計算するよう構成される。例えば、気道流量制限指標は、患者の肺気道の流量制限の程度を表す測定である。気道流量制限指標は、次いで、患者に対して気道流量制限値を決定するために使用されてよい。以下で詳細に説明されるように、患者に対する決定された気道流量制限値は、“流量制限された呼吸の割合（Percent  Flow  Limited  Breaths）”と一般的に表記及び呼称される１つの語として表示される。いくつかの実施形態において、この語又は同様の語は、‘呼気流量制限された呼吸’又は‘吸気流量制限された呼吸’の数又はパーセンテージのいずれかを示すために使用されてよい。
【００２７】
いくつかの実施形態において、気道流量制限指標ＡＦＬＩ又はΔＸｒｓは、以下で式（１）において示されるように、吸気の間の呼吸器系リアクタンスの平均値Ｍｅａｎ−Ｘｒｓｉｎｓｐと、呼気の間の呼吸器系リアクタンスの平均値Ｍｅａｎ−Ｘｒｓｅｘｐとの間の平均差として決定されてよい。いくつかの実施形態において、以下で式（１）を用いて計算される気道流量制限指標ΔＸｒｓは、閾値の周辺で高い感受性及び高い特異性を有している。
ΔＸｒｓ＝Ｍｅａｎ−Ｘｒｓｉｎｓｐ−Ｍｅａｎ−Ｘｒｓｅｘｐ      （１）
【００２８】
いくつかの実施形態において、呼吸器系インピーダンスは、取得された気道内圧情報及び取得された気道流量情報のフーリエ変換の比である。いくつかの実施形態において、呼吸器系インピーダンスの実部及び虚部は、呼吸器系の抵抗及び呼吸器系のリアクタンスである。いくつかの実施形態において、呼吸器系リアクタンスは、取得された気道内圧情報及び取得された気道流量情報を用いて決定されてよい。
【００２９】
いくつかの実施形態において、気道流量制限指標は、呼気の間の呼吸器系リアクタンスの平均値Ｍｅａｎ−Ｘｒｓｅｘｐを用いて決定されてよい。いくつかの実施形態において、気道流量制限指標は、呼気の間の呼吸器系リアクタンスの平均値の最小値Ｍｉｎ−Ｘｒｓｅｘｐを用いて決定されてよい。
【００３０】
いくつかの実施形態において、気道流量制限指標ＡＦＬＩは、以下で式（２）において示されるように、吸気の間の呼吸器系リアクタンスの最大値Ｍａｘ−Ｘｒｓｉｎｓｐと、呼気の間の呼吸器系リアクタンスの最小値Ｍｉｎ−Ｘｒｓｅｘｐとの間の差として決定されてよい。
ＡＦＬＩ＝Ｍａｘ−Ｘｒｓｉｎｓｐ−Ｍｉｎ−Ｘｒｓｅｘｐ      （２）
【００３１】
いくつかの実施形態において、気道流量制限値サブシステム１１２は、決定された気道流量制限指標を気道流量制限閾値と比較することによって患者に対して気道流量制限値を決定するよう構成される。
【００３２】
いくつかの実施形態において、気道流量制限閾値は、それを上回ると呼吸が“流量制限されている”と見なされるべき値であってよい。いくつかの実施形態において、気道流量制限閾値は、２．７ｃｍＨ２Ｏ／ｓｅｃ／Ｌであってよい。いくつかの実施形態において、気道流量制限閾値は、臨床試験によって取得されてよい。いくつかの実施形態において、気道流量制限閾値は、データ解析を用いて取得されてよい。いくつかの実施形態において、気道流量制限閾値は、研究出版物から取得されてよい。
【００３３】
いくつかの実施形態において、図５を参照すると、指標は、気道流量制限閾値を決定するために使用される。例えば、図５に示されるように、呼吸周期（この場合、呼気）のあるフェーズの間に直接又は派生信号（この場合に、（リットル／ｍｉｎ、Ｌ／ｍｉｎ又はＬ／ｍ）における気道流量）に沿ってどこで起こり得る２つの期間の間の時定数。時定数τ１、τ２及びτ３（図５に示される。）は、気道流量制限閾値を決定するよう処理され得る。
【００３４】
いくつかの実施形態において、気道流量制限閾値は、単一の閾値の周りで発振しうる正規分散を除去する意図を持って、システム１０２によって使用される閾値を上回る特定のパーセンテージを設定される。
【００３５】
いくつかの実施形態において、気道流量制限値サブシステム１１２は、複数の患者からの以前に取得された気道内圧情報及びそれら複数の患者からの以前に取得された気道流量情報を用いて気道流量制限閾値を決定するよう構成される。いくつかの実施形態において、気道流量制限値サブシステム１１２はまた、複数の患者のその後の気道内圧情報及び複数の患者のその後の気道流量情報を引き続き取得するよう構成される。いくつかの実施形態において、気道流量制限値サブシステム１１２は、次いで、その後の気道内圧情報、その後の気道流量情報、又は他のその後の情報に基づき、気道流量制限閾値を引き続き変更又は更新するよう構成される。
【００３６】
いくつかの実施形態において、決定された気道流量制限閾値は、データベース（例えば、気道流量制限値データベース１３２）にセーブされ、必要に応じてデータベースから取り出されてよい。上述されたように、気道流量制限値サブシステム１１２は、異なる気道流量制限閾値を続けて更新／変更してよい。例えば、いくつかの実施形態において、深刻な症状がある患者は、症状が軽度である患者とは異なる気道流量制限閾値を有してよい。
【００３７】
図２は、気道流量制限指標が気道流量制限閾値を上回るか又は下回るかのいずれかであるときの気道流量制限指標に対する気道流量制限値（すなわち、流量制限された呼吸の割合）の応答のグラフ表示を示す。図２のグラフは、その縦Ｙ軸において気道流量制限値（すなわち、流量制限された呼吸の割合）及び気道流量制限指標を、その横Ｘ軸において呼吸数を表している。患者に対する気道流量制限値は、気道流量制限閾値を上回る所与の呼吸総数（又は期間）内のパーセンテージ又は有効呼吸数に基づき決定される。
【００３８】
図７Ａ及び７Ｂは、本特許出願の実施形態に従って患者における気道流量制限値を決定する方法７００（及びフローチャート）を示す。いくつかの実施形態において、決定された気道流量制限指標と気道流量制限閾値との間の比較は、図７Ａ及び７Ｂにおける方法７００のプロシージャ７０２で行われる。
【００３９】
いくつかの実施形態において、システム１０２は、流量制限された呼吸の履歴を保持するよう構成される。例えば、流量制限された呼吸の履歴は３２ビットのビットマスクとして保持され、各ビットが履歴内のサンプル呼吸を表す。いくつかの実施形態において、各ビットは、サンプル／呼吸が気道流量制限を有していないと決定される場合に“オフ”され（ビットは“０”である。）、サンプル／呼吸が気道流量制限を有していると決定される場合に“オン”される（ビットは“１”である。）。いくつかの実施形態において、ビットマスク内のビットの数は様々であってよい。
【００４０】
いくつかの実施形態において、サンプル／呼吸が履歴に加えられるたびに、ビットマスクは、その位置を右に１つだけシフトされる。いくつかの実施形態において、気道流量制限値サブシステム１１２は、気道流量制限された呼吸の履歴ラップマスク（wrap  mask）を使用して履歴を所定数のサンプル／呼吸に制限するよう構成される。例えば、気道流量制限された呼吸の履歴ラップマスクは、履歴を２０個のサンプル／呼吸に制限するために使用される。いくつかの実施形態において、履歴バッファ内のサンプル／呼吸の数は様々であってよい。
【００４１】
図７Ａ及び７Ｂを参照すると、決定された気道流量制限指標が気道流量制限閾値よりも大きいか又はそれに等しい場合に、気道流量制限値サブシステム１１２は、（例えば、方法７００のプロシージャ７０４において、）気道流量制限が患者の呼吸において存在することを示す履歴バッファ入力を加えるよう構成される。いくつかの実施形態において、気道流量制限値サブシステム１１２は、気道流量制限指標が気道流量制限閾値よりも大きいか又はそれに等しいと決定される場合に、ビットを“オン”するよう構成される（ビットは“１”である。）。
【００４２】
決定された気道流量制限指標が気道流量制限閾値に満たない場合には、気道流量制限値サブシステム１１２は、（例えば、方法７００のプロシージャ７０６において、）気道流量制限が患者の呼吸において存在しないことを示す履歴バッファ入力を加えるよう構成される。いくつかの実施形態において、気道流量制限値サブシステム１１２は、気道流量制限指標が気道流量制限閾値に満たないと決定される場合に、ビットを“オフ”するよう構成される（ビットは“０”である。）。
【００４３】
いくつかの実施形態において、気道流量制限値サブシステム１１２は、履歴バッファ内の最も古いサンプル／呼吸が気道流量制限された呼吸を表すかどうかを判定するよう構成される。
【００４４】
いくつかの実施形態において、測定／決定された気道流量制限指標が気道流量制限閾値よりも大きいか又はそれに等しいたびに、カウンタはインクリメントされ、測定／決定された気道流量制限指標が気道流量制限閾値に満たないたびに、カウンタはデクリメントされる。システム１０２は、夫々の呼吸が履歴のパーセンテージを表すように、最後の一定数の呼吸の履歴を保持するよう構成される。
【００４５】
いくつかの実施形態において、方法７００のプロシージャ７０８で、気道流量制限値サブシステム１１２は、患者が気道流量制限を経験していることを示す履歴バッファ入力の数を数えるよう構成される。例えば、気道流量制限値サブシステム１１２は、履歴バッファ内の所定数の所望のサンプル／呼吸において“オン”又は“１”にされているビットを数えるよう構成される。
【００４６】
いくつかの実施形態において、方法７００のプロシージャ７１０で、気道流量制限値サブシステム１１２は、患者が気道流量制限を経験していることを示す履歴バッファ入力の数を所定の気道流量制限された呼吸数と比較するよう構成される。いくつかの実施形態において、所定の気道流量制限された呼吸数は１０である。
【００４７】
患者が気道流量制限を経験していることを示す履歴バッファ入力の数が所定の気道流量制限された呼吸数に満たない場合には、気道流量制限値サブシステム１１２は、方法７００のプロシージャ７１２で、気道流量制限値をゼロと表示するよう構成される。患者が気道流量制限を経験していることを示す履歴バッファ入力の数が所定の気道流量制限された呼吸数よりも大きい場合には、気道流量制限値サブシステム１１２は、方法７００のプロシージャ７１４で、気道流量制限値を決定するよう構成される。例えば、気道流量制限値ＡＦＬＶは、以下で式（３）及び（４）を用いて決定される。
ＡＦＬＶ’＝（気道流量制限された呼吸数×１００）／（履歴バッファ内のサンプル数）        （３）
ＡＦＬＶ＝（ＡＦＬＶ’−理想パーセンテージ）×２        （４）
【００４８】
いくつかの実施形態において、方法７００のプロシージャ７１６で、気道流量制限値サブシステム１１２は、決定又は計算された気道流量制限値ＡＦＬＶを臨床医又は医師に表示するよう構成される。いくつかの実施形態において、方法７００のプロシージャ７１６で、通知サブシステム１１６は、決定又は計算された気道流量制限値ＡＦＬＶを臨床医又は医師に表示するよう構成される。
【００４９】
いくつかの実施形態において、方法７００のプロシージャ７１８で、気道流量制限値サブシステム１１２は、決定又は計算された気道流量制限値ＡＦＬＶを用いて、例えば、人工呼吸器によって施されている患者の圧力療法を自動的に滴定するよう構成される。いくつかの実施形態において、方法７００のプロシージャ７１８で、圧力制御サブシステム１２６は、決定又は計算された気道流量制限値ＡＦＬＶを用いて、例えば、人工呼吸器によって施されている患者の圧力療法を自動的に滴定するよう構成される。
【００５０】
いくつかの実施形態において、決定又は計算された気道流量制限値ＡＦＬＶは、その後に、例えば、人工呼吸器によって施されている患者の圧力療法を手動で又は自動的に調整するよう医師又は臨床医を導くために使用され得る。一実施形態において、呼気陽圧（ＰＥＰ）は、その場合に、流量制限された呼吸のパーセンテージがその最下点になるまで、増大され得る。
【００５１】
いくつかの実施形態において、臨床的観点からの‘理想的な’動作は、気道流量制限閾値の周辺で特徴が発振することであるから、“理想的な”パーセンテージは５０％であってよい。いくつかの実施形態において、気道流量制限値サブシステム１１２は、ａ）気道流量制限された呼吸（気道流量制限閾値よりも大きい。）が０から５０％の間にある場合には、決定された気道流量制限値が０％と表示され、ｂ）気道流量制限された呼吸（気道流量制限閾値よりも大きい。）が５０から１００％の間にある場合には、気道流量制限値ＡＦＬＶが以下の式（５）及び（６）を用いて決定されるように、決定された気道流量制限値（パーセンテージ又は数）を表示するよう構成される。
ＡＦＬＶ’＝（気道流量制限された呼吸数×１００）／（２０）        （５）
ＡＦＬＶ＝（ＡＦＬＶ’−５０）×２        （６）
【００５２】
例えば、１つのシナリオにおいて、理想的なパーセンテージ値は５０％であり（すなわち、所定の呼吸数が１０である。）、履歴バッファ内のサンプル数は２０である。例えば、方法７００のプロシージャ７０８で求められる、気道流量制限された呼吸の数は、１１である。患者が気道流量制限を経験していることを示す履歴バッファ入力の数（すなわち、１１）は所定の呼吸数（すなわち、１０）よりも大きいということで、気道流量制限値サブシステム１１２は、方法７００のプロシージャ７１４で次のように気道流量制限値を決定する：
ＡＦＬＶ’＝（１１×１００）／（２０）＝５５
ＡＦＬＶ＝（５５−５０）×２＝１０％
【００５３】
いくつかの実施形態において、方法７００のプロシージャ７１６で、通知サブシステム１１６は、決定又は計算された気道流量制限値ＡＦＬＶを１０％として臨床医又は医師に表示するよう構成される。いくつかの実施形態において、方法７００のプロシージャ７１８で、圧力制御サブシステム１２６は、１０％の決定又は計算された気道流量制限値ＡＦＬＶを用いて、例えば、人工呼吸器によって施されている患者の圧力療法を自動的に滴定するよう構成される。いくつかの実施形態において、１０％の決定又は計算された気道流量制限値ＡＦＬＶは、その後に、例えば、人工呼吸器によって施されている患者の圧力療法を手動で又は自動的に調整するよう医師又は臨床医を導くために使用され得る。
【００５４】
いくつかの実施形態において、理想的なパーセンテージ値は２５％である。斯様な実施形態において、所定の呼吸数は５である（例えば、履歴バッファが２０個のサンプルに制限される場合）。いくつかの実施形態において、理想的なパーセンテージ値は７５％である。斯様な実施形態において、所定の呼吸数は１５である（履歴バッファが２０個のサンプルに制限される場合）。いくつかの実施形態において、理想的なパーセンテージ値は２５％から７５％の間の範囲に及んでよい。斯様な実施形態において、所定の呼吸数は５から１５の間の範囲に及ぶ（例えば、履歴バッファが２０個のサンプルに制限される場合）。上述されたように、履歴バッファ内のサンプル呼吸の数は様々であってよい。
【００５５】
いくつかの実施形態において、通知サブシステム１１６は、決定された気道流量制限値に関する通知をシステム１００の１つ以上の他の構成要素へ供給してよい。一例として、１つ以上のセンサ１０８ａ・・・１０８ｎを有している１つ以上の健康監視デバイス１０６ａ・・・１０６ｎは、患者に関連した健康情報（例えば、患者の気道流量圧力の測定、患者の気道流率の測定、患者の気道容量の測定、又は他の健康情報）を取得し、健康情報を健康情報サブシステム１１４へ供給してよい。健康情報が患者に対して気道流量制限値を決定するよう処理された後、通知サブシステム１１６は、気道流量制限値に関する通知を、現在遠隔医療サービスを介して患者にプライマリケアを提供している医師若しくは他のスタッフ（例えば、看護士、技師、など）、及び患者の介護者、患者の家族、などのうちの少なくとも１人へ供給してよい。一例として、通知サブシステム１１６は、気道流量制限値に関する通知を、１つ以上の有線若しくは無線接続を介して健康監視デバイスの１つ以上の出力デバイスにより供給してよい。他の例として、通知サブシステム１１６は、気道流量制限値に関する通知を、デスクトップコンピュータ、ノートブックコンピュータ、タブレット、スマートフォンのような１つ以上のユーザデバイスへ供給してよい。
【００５６】
いくつかの実施形態において、通知サブシステム１１６は、流量制限指標に基づき患者の肺の状態を臨床医に表示するか又は別なふうに知らせるよう構成される。いくつかの実施形態において、決定された気道流量制限値は、いつ圧力療法が患者の気道に適用されようとも、医師の治療計画又は処方を導くよう意図される。一般に、気道流量制限された呼吸のパーセンテージと、圧力療法／治療の有効性とは、関係があると理解される。例えば、気道流量制限された呼吸のパーセンテージが高ければ高いほど、圧力療法／治療の有効性はますます大きくなる。流量制限された呼吸の割合が０％であるか又はそれに近い場合に、圧力療法／治療は最適に有効である。一方、流量制限された呼吸のパーセンテージが１００％により近い場合には、圧力療法／治療は効果がないか又は効果が少ない。更に、（例えば、呼気）流量制限を有する呼吸の数は、人の呼吸周期の（例えば、呼気フェーズの間の）陽圧の適用によって減らされ得ることが実証されており且つ広く受け入れられてきた。呼気陽圧（ＰＥＰ）は、その場合に、流量制限された呼吸のパーセンテージがその最下点（nadir）になるまで増大され得る。
【００５７】
このように、決定された気道流量制限値の知識は、その後に、例えば、人工呼吸器によって施されている患者の圧力療法を滴定することを選択する医師を導くために使用され得る。いくつかの実施形態において、決定された気道流量制限値は、例えば、呼気陽圧設定において、患者の気道流量制限を扱うよう（手動で又は自動的に）選択されている人工呼吸器の圧力設定の有効性を実時間において医師に知らせる。その上、定量化可能な指標は、“万能な（one  size  fits  all）”オプションである療法を選択することの代わりに、患者個人に合わせた治療を可能にする。
【００５８】
いくつかの実施形態において、通知サブシステム１１６は、多数の方法又はフォーマットで患者の肺の状態を医師に表示するか又は別なふうに知らせるよう構成される。例えば、図３は、決定された気道流量制限値の数値表現の例を示し、一方、図４は、本特許出願に従って、決定された気道流量制限値のグラフ表現の例である。患者に対する決定された気道流量制限値の斯様な表示は、臨床医が呼気陽圧（ＰＥＰ）治療又は療法の効果を容易に評価することを可能にする。いくつかの実施形態において、気道流量制限値は、遠隔医療の臨床ダッシュボード又はディスプレイにおいて視覚的に提供される。
【００５９】
患者に対する決定された気道流量制限値は、図３に示されるように数値又はパーセンテージ値として表示される。例えば、患者に対する決定された気道流量制限値は７０％と表示される。患者に対する決定された気道流量制限値は、図４に示されるようなグラフバーとして表示されてよい。例えば、患者に対する決定された気道流量制限値は、グラフバー上で８０％と表示される。図４のグラフバーは、例えば、グラフ読出のために１０％刻みで０％から１００％の範囲を有している。
【００６０】
患者における気道流量制限値を決定するための使用ケースシナリオは、１つ以上の実施形態に従って、以下で記載される。一例として、１つのシナリオにおいて、健康情報（気道流量情報、気道内圧情報、など）は、入力としてシステム１００へ供給され、システム１００の出力（例えば、気道流量制限値）は、患者、患者の総合診療医、患者の専門医、又は他の個人へ供給されてよい。一例として、しばらく後、システム１００は、決定された気道流量制限値の結果としてアラートにフラグを立ててよい。このアラートに基づき、患者の臨床医（例えば、総合診療医、専門医、など）は、例えば、人工呼吸器によって施されている患者の圧力療法の調整を提言してよい。
【００６１】
いくつかの実施形態において、システム１００は、コールセンター電話応対係／担当者が気道流量制限値に基づき加入者又は患者のためのインターベンションを決める必要がある個人用緊急応答システムにおいて有用であり得る。いくつかの実施形態において、システム１００は、退院プログラム（hospital  to  home  programs）、外来診療における臨床プログラム、及び／又は再入院予防プログラムにおいて使用されてよい。いくつかの実施形態において、システム１００はまた、家庭モニタリングプログラム、個人用緊急応答システム、などにおいて使用されてよい。
【００６２】
いくつかの実施形態において、図１に表されている様々なコンピュータ及びサブシステムは、本明細書で記載されている機能を実行するようプログラムされている１つ以上のコンピューティングデバイスを有してよい。コンピューティングデバイスは、１つ以上の電子ストレージ（例えば、気道流量制限値データベース１３２、健康情報データベース１３４、若しくは他の電子ストレージ）、１つ以上のコンピュータプログラム命令によりプログラムされた１つ以上の物理プロセッサ、及び／又は他の構成要素を含んでよい。コンピューティングデバイスは、有線又は無線技術（例えば、イーサネット（登録商標）、光ファイバ、同軸ケーブル、ＷｉＦｉ、Ｂｌｕｅｔｏｏｔｈ（登録商標）、近距離通信、又は他の通信テクノロジ）を介したネットワーク（例えば、ネットワーク１５０）又は他のコンピューティングプラットフォームとの情報の交換を可能にする通信線又はポートを含んでよい。コンピューティングデバイスは、本明細書ではサーバに属する機能を提供するよう一緒に作動する複数のハードウェア、ソフトウェア、及び／又はファームウェア部品を含んでよい。例えば、コンピューティングデバイスは、コンピューティングデバイスとして一緒に作動するコンピューティングプラットフォームのクラウドによって実装されてよい。
【００６３】
電子ストレージは、電子的に情報を記憶する非一時的な記憶媒体を有してよい。電子ストレージの電子記憶媒体は、サーバと一体的に設けられる（例えば、実質的に着脱不可能である）システムストレージ、又は例えば、ポート（例えば、ＵＳＢポート、ファイヤワイヤポート、など）若しくはドライブ（例えば、ディスクドライブ、など）を介してサーバに着脱可能に接続可能であるリムーバブルストレージのうちの一方又は両方を含んでよい。電子ストレージは、光学的に読出可能な記憶媒体（光ディスク、など）、磁気的に読出可能な記憶媒体（例えば、磁気テープ、磁気ハードドライブ、フロッピー（登録商標）ドライブ、など）、電荷に基づく記憶媒体（例えば、ＥＥＰＲＯＭ、ＲＡＭ、など）、固体状態記憶媒体（例えば、フラッシュドライブ、など）、及び／又は他の電子的に読出可能な記憶媒体のうちの１つ以上を含んでよい。電子ストレージは、１つ以上の仮想記憶リソース（例えば、クラウドストレージ、仮想プライベートネットワーク、及び／又は他の仮想記憶リソース）を含んでよい。電子ストレージは、ソフトウェアアルゴリズム、プロセッサによって決定された情報、サーバから受信された情報、クライアントコンピューティングプラットフォームから受信された情報、又は本明細書で記載されるようにサーバが機能することを可能にする他の情報を記憶してよい。
【００６４】
プロセッサは、サーバにおいて情報処理機能を提供するようプログラムされてよい。そのようなものとして、プロセッサは、デジタルプロセッサ、アナログプロセッサ、若しくは情報を処理するよう設計されたデジタル回路、情報を処理するよう設計されたアナログ回路、状態機械、及び／又は電子的に情報を処理する他のメカニズムのうちの１つ以上を含んでよい。いくつかの実施形態において、プロセッサは、複数の処理ユニットを含んでよい。それらの処理ユニットは、同じデバイス内に物理的に位置してよく、あるいは、プロセッサは、協働する複数のデバイスの処理機能に相当してよい。プロセッサは、サブシステム１１２、１１４、１１６、及び１２６又は他のサブシステムの本明細書で記載される機能を実行するようにコンピュータプログラム命令を実行するようプログラムされてよい。プロセッサは、ソフトウェア；ハードウェア；ファームウェア：ソフトウェア、ハードウェア、若しくはファームウェアの何らかの組み合わせ；及び／又はプロセッサ上で処理機能を構成する他のメカニズムによって、コンピュータプログラム命令を実行するようプログラムされてよい。
【００６５】
当然ながら、本明細書で記載される種々のサブシステム１１２、１１４、１１６、及び１２６によって提供される機能の記載は、サブシステム１１２、１１４、１１６、及び１２６のいずれもが記載されているよりも多い又は少ない機能を提供し得るということで、例示を目的としており、制限されるよう意図されない。例えば、サブシステム１１２、１１４、１１６、及び１２６のうちの１つ以上は削除されてよく、その機能の一部又は全ては、サブシステム１１２、１１４、１１６、及び１２６のうちの他のものによって提供されてよい。他の例として、追加のサブシステムが、サブシステム１１２、１１４、１１６、及び１２６のうちの１つに本明細書で属する機能の一部又は全てを実行するようプログラムされてよい。
【００６６】
図６は、本特許出願の実施形態に従って患者における気道流量制限値を決定するフローチャートである。図６を参照すると、患者における気道流量制限値を決定する方法６００が与えられている。方法６００は、コンピュータプログラム命令を実行する１つ以上の物理プロセッサを有するコンピュータシステム１０２によって実装される。コンピュータプログラム命令は、実行される場合に、方法６００を実行する。方法６００は、プロシージャ６０２において１つ以上の健康監視デバイス１０６（１０６ａ・・・１０６ｎ）から患者の気道内圧情報及び患者の気道流量情報を取得することと、プロシージャ６０４においてコンピュータシステムによって患者の気道内圧情報及び患者の気道流量情報から気道流量制限指標を決定することと、プロシージャ６０６においてコンピュータシステムによって、決定された気道流量制限指標を気道流量制限閾値と比較することによって患者に対して気道流量制限値を決定することとを有する。気道流量制限値は、所与の期間において流量制限される患者の呼吸の数を示す。
【００６７】
このように、本特許出願は、患者の気道流量制限値を計算又は決定し、この気道流量制限値を伝達する方法を提供する。気道流量制限値は、気道流量制限指標に基づく気道流量制限閾値を上回る所与の呼吸総数（又は期間）内の有効な呼吸のパーセンテージ又は数に基づく。
【００６８】
特許請求の範囲において、括弧内の如何なる参照符号も、請求項を制限するものとして解釈されるべきではない。語“有する（comprising）”又は“含む（including）”は、請求項で挙げられているもの以外の要素又はステップの存在を除外しない。いくつかの手段を挙げているデバイスクレームにおいて、それらの手段のいくつかは、ハードウェアの同一のアイテムによって具現化されてよい。単称形の要素（要素の前の冠詞a又はan）は、そのような要素の複数個の存在を除外しない。いくつかの手段を挙げている如何なるデバイスクレームにおいても、それらの手段のいくつかは、ハードウェアの同一のアイテムによって具現化されてよい。特定の要素が相互に異なる従属請求項において挙げられているという単なる事実は、それらの要素が組み合わせて使用され得ないことを示すものではない。
【００６９】
本特許出願は、最も実際的且つ好適な実施形態であると現在考えられているものに基づき例示のために詳細に記載されてきたが、斯様な詳細は、もっぱらその目的のためであり、本特許出願は、開示されている実施形態に制限されず、それどころか、添付の特許請求の範囲の精神及び適用範囲の中にある変更及び同等の配置をカバーするよう意図されることが理解されるべきである。例えば、本特許出願は、可能な範囲で、いずれかの実施形態の１つ以上の特徴がいずれかの他の実施形態の１つ以上の特徴と結合可能であると考えていることが理解されるべきである。
【００７０】
［関連出願の相互参照］
本特許出願は、米国特許法第１１９条（ｅ）の下で、２０１６年５月１０日付けで出願された米国仮特許出願第６２／３３４０６６号に基づく優先権を主張する。なお、この仮特許出願の内容は、参照により本願に援用される。
【図１】
2019520871.tif 000003
【図２】
2019520871.tif 000004
【図３】
2019520871.tif 000005
【図４】
2019520871.tif 000006
【図５】
2019520871.tif 000007
【図６】
2019520871.tif 000008
【図７Ａ】
2019520871.tif 000009
【図７Ｂ】
2019520871.tif 000010
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
患者における気道流量制限値を決定するシステムであって、
第１コンピュータプログラム命令によりプログラムされた１つ以上の第１物理プロセッサを有するコンピュータシステムを有し、
前記第１コンピュータプログラム命令は、実行される場合に、前記コンピュータシステムに、
１つ以上の健康監視デバイスから前記患者の気道内圧情報及び前記患者の気道流量情報を取得させ、
前記患者の前記気道内圧情報及び前記患者の前記気道流量情報から気道流量制限指標を決定させ、
前記気道流量制限指標を気道流量制限閾値と比較することによって前記患者に対して前記気道流量制限値を決定させ、
前記気道流量制限値は、所与の期間において流量制限される前記患者の呼吸の数を示す、システム。
【請求項２】
前記１つ以上の健康監視デバイスの夫々は、
前記患者の前記気道内圧情報及び前記患者の前記気道流量情報を取得するようプログラムされた１つ以上のセンサと、
実行される場合に、前記１つ以上の健康監視デバイスに、
前記センサに基づき、前記患者の前記気道内圧情報及び前記患者の前記気道流量情報を取得させ、
前記患者の前記気道内圧情報及び前記患者の前記気道流量情報を前記コンピュータシステムに供給させる
第２コンピュータプログラム命令によりプログラムされた１つ以上の第２物理プロセッサと
を有し、
前記コンピュータシステムは、前記患者の前記気道内圧情報及び前記患者の前記気道流量情報を取得することによって、前記患者に対して前記気道流量制限指標を決定する、
請求項１に記載のシステム。
【請求項３】
前記コンピュータシステムは、
複数の患者からの以前に取得された気道内圧情報及び気道流量情報を用いて前記気道流量制限閾値を決定することと、
前記複数の患者のその後の気道内圧情報及び前記複数の患者のその後の気道流量情報を引き続き取得することと、
前記その後の気道内圧情報及び前記その後の気道流量情報に基づき前記気道流量制限閾値を引き続き変更することと
によって、前記患者に対して前記気道流量制限値を決定する、
請求項１に記載のシステム。
【請求項４】
前記コンピュータシステムは、前記気道流量制限値を表示するよう構成される、
請求項１に記載のシステム。
【請求項５】
前記コンピュータシステムは、前記気道流量制限値に基づき、前記患者の気道に適用される加圧治療の圧力を調整するよう構成される、
請求項１に記載のシステム。
【請求項６】
患者における気道流量制限値を決定する方法であって、実行される場合に当該方法を実行するコンピュータプログラム命令を実行する１つ以上の物理プロセッサを有するコンピュータシステムによって実行される前記方法において、
１つ以上の健康監視デバイスから前記患者の気道内圧情報及び前記患者の気道流量情報を取得することと、
前記コンピュータシステムによって、前記患者の前記気道内圧情報及び前記患者の前記気道流量情報から気道流量制限指標を決定することと、
前記コンピュータシステムによって、前記気道流量制限指標を気道流量制限閾値と比較することによって前記患者に対して前記気道流量制限値を決定することと
を有し、
前記気道流量制限値は、所与の期間において流量制限される前記患者の呼吸の数を示す、方法。
【請求項７】
前記患者に対する前記気道流量制限指標は、
前記コンピュータシステムによって、１つ以上のセンサを有する前記１つ以上の健康監視デバイスから、前記患者の前記気道内圧情報及び前記患者の前記気道流量情報を取得することと、
前記コンピュータシステムによって、前記患者の前記気道内圧情報及び前記患者の前記気道流量情報を使用することによって前記患者に対して前記気道流量制限指標を決定することと
によって決定される、
請求項６に記載の方法。
【請求項８】
前記患者に対する前記気道流量制限値は、
前記コンピュータシステムによって、複数の患者からの以前に取得された気道内圧情報及び気道流量情報を用いて前記気道流量制限閾値を決定することと、
前記コンピュータシステムによって、前記複数の患者のその後の気道内圧情報及び前記複数の患者のその後の気道流量情報を引き続き取得することと、
前記コンピュータシステムによって、前記その後の気道内圧情報及び前記その後の気道流量情報に基づき前記気道流量制限閾値を引き続き変更することと
によって決定される、
請求項６に記載の方法。
【請求項９】
前記コンピュータシステムによって、前記気道流量制限値を表示すること
を更に有する請求項６に記載の方法。
【請求項１０】
前記コンピュータシステムによって、前記気道流量制限値に基づき、前記患者の気道に適用される加圧治療の圧力を調整すること
を更に有する請求項６に記載の方法。
【請求項１１】
患者における気道流量制限値を決定するシステムであって、
少なくとも１つのプロセッサにより機械読み出し可能な命令を実行する手段を有し、
前記機械読み出し可能な命令は、
１つ以上の健康監視デバイスから前記患者の気道内圧情報及び前記患者の気道流量情報を取得することと、
前記患者の前記気道内圧情報及び前記患者の前記気道流量情報から気道流量制限指標を決定することと、
前記気道流量制限指標を気道流量制限閾値と比較することによって前記患者に対して前記気道流量制限値を決定することと
を有し、
前記気道流量制限値は、所与の期間において流量制限される前記患者の呼吸の数を示す、システム。
【請求項１２】
前記機械読み出し可能な命令は、
１つ以上のセンサを有する前記１つ以上の健康監視デバイスから、前記患者の前記気道内圧情報及び前記患者の前記気道流量情報を取得することと、
前記患者の前記気道内圧情報及び前記患者の前記気道流量情報を取得することによって前記患者に対して前記気道流量制限指標を決定することと
を更に有する、
請求項１１に記載のシステム。
【請求項１３】
前記機械読み出し可能な命令は、
複数の患者からの以前に取得された気道内圧情報及び気道流量情報を用いて前記気道流量制限閾値を決定することと、
前記複数の患者のその後の気道内圧情報及び前記複数の患者のその後の気道流量情報を引き続き取得することと、
前記その後の気道内圧情報及び前記その後の気道流量情報に基づき前記気道流量制限閾値を引き続き変更することと
を更に有する、
請求項１１に記載のシステム。
【請求項１４】
前記機械読み出し可能な命令は、前記手段によって前記気道流量制限値を表示することを更に有する、
請求項１１に記載のシステム。
【請求項１５】
前記機械読み出し可能な命令は、前記手段によって、前記気道流量制限値に基づき、前記患者の気道に適用される加圧治療の圧力を調整することを更に有する、
請求項１１に記載のシステム。
【国際調査報告】
2019520871.tif 000011
2019520871.tif 000012
2019520871.tif 000013
2019520871.tif 000014